(57)【要約】【課題】本発明は、設置のための工事を簡素化することができるセキュリティシステムを得ることを目的とするものである。【解決手段】ドア１には、カードリーダ３、錠制御手段４、ドア側通信部５、制御マイコン６、二次電池７、及び受電部８が搭載されている。ドア１外には、受電部８に対向する給電部１０が設置されている。給電部１０は、受電部８に対して非接触で電力を供給する。非接触給電装置１１は、受電部８及び給電部１０を有しており、二次電池７を介してドア１上の機器に電力を供給する。また、ドア１外には、ドア側通信部５との間で無線通信を行う外部通信部１２が設けられている。無線通信手段１３は、ドア側通信部５及び外部通信部１２とを有している。【選択図】図１
2006138162.tif 000002
【特許請求の範囲】
【請求項１】
ドアに搭載され、識別情報を読み取る識別情報読取部、
上記識別情報読取部により読み取られた識別情報に基づいて利用者を識別する利用者識別部、
上記ドアに搭載され、上記利用者識別部による識別結果に応じて、上記ドアに設けられた錠の施錠・解錠を制御する錠制御手段、
上記ドアに搭載された受電部と、上記ドア外に設けられ、上記受電部に対して非接触で電力を供給する給電部とを有し、上記識別情報読取部及び上記錠制御手段に対して電力を供給するための非接触給電装置、
上記ドア外に設けられ、上記錠制御手段による上記錠の制御状態を監視する監視制御装置、及び
上記ドアに搭載されたドア側通信部と、上記ドア外に設けられ、上記ドア側通信部との間で無線通信を行う外部通信部とを有し、上記錠制御手段からの情報を上記監視制御部に送信する無線通信手段
を備えていることを特徴とするセキュリティシステム。
【請求項２】
上記利用者識別部は、上記監視制御装置に設けられており、上記識別情報読取部からの識別情報は上記無線通信手段を介して上記利用者識別部に送信されるとともに、上記利用者識別部による識別結果に応じた指令が上記無線通信手段を介して上記錠制御手段に送信されることを特徴とする請求項１記載のセキュリティシステム。
【請求項３】
上記ドアに搭載され、上記非接触給電装置により充電される二次電池をさらに備え、
上記識別情報読取部及び上記錠制御手段は、上記二次電池を介して給電されることを特徴とする請求項１又は請求項２に記載のセキュリティシステム。
【請求項４】
上記ドアの開閉状態を検出する開閉検出部をさらに備え、
上記受電部及び上記給電部は、上記ドアが閉じられたときのみ給電可能となるように配置されており、
上記開閉検出部は、上記非接触給電装置における給電状態から上記ドアの開閉状態を検出することを特徴とする請求項１〜請求項３のいずれかに記載のセキュリティシステム。
【請求項５】
上記錠は機械的に操作される機械錠であり、
上記錠制御手段は、上記利用者識別部からの信号に応じて上記錠を機械的に操作することを特徴とする請求項１〜請求項４のいずれかに記載のセキュリティシステム。
【請求項６】
上記受電部及び上記給電部は、上記ドアが閉じられたときに互いに対向するように配置され、
上記ドア側通信部は、上記受電部の近傍に配置され、
上記外部通信部は、上記給電部の近傍に配置されていることを特徴とする請求項１〜請求項５のいずれかに記載のセキュリティシステム。
【発明の詳細な説明】
【技術分野】
【０００１】
この発明は、識別情報読取部で読み取られた識別情報に基づいて利用者を識別するとともに、識別結果に応じてドアの錠の施錠・解錠を制御するセキュリティシステムに関するものである。
【背景技術】
【０００２】
従来の入退室管理装置では、カードリーダによりＩＤカードの情報が読み込まれると、個人識別装置によりＩＤカードの所持者が識別され、識別結果に応じて電気錠の施錠・解錠が制御される。
また、ドアに搭載された電気錠に対する給電方法として、ドア枠に取り付けられた磁界発生装置により、ドアに取り付けられた電源を非接触で起電する技術が提案されている（例えば特許文献１参照）
【０００３】
【特許文献１】特開２００３−１８４３６９号公報
【発明の開示】
【発明が解決しようとする課題】
【０００４】
上記のような従来の入退室管理装置では、ドアから離れて配置された個人識別装置からの制御信号をドアに搭載された電気錠に送る必要があるため、専門の業者によりドアのヒンジに通信線を配線する工事が必要であり、工事費用が高くなってしまう。特に、１台の個人識別装置により複数のドアの錠制御を行う場合、従来技術では、ヒンジへの配線工事が避けられない。
また、カードリーダをドアの近傍に設置するためには、建物の壁等に工事を施す必要があり、工事費用が高くなってしまう。これに対して、カードリーダをドアに取り付けると、カードリーダと個人識別装置との間の配線をやはりドアのヒンジに通す必要があり、この場合も工事費用が高くなってしまう。
このような工事費用の高額化は、特に既設ビルへの追加工事において顕著となってしまう。
【０００５】
この発明は、上記のような課題を解決するためになされたものであり、設置のための工事を簡素化することができるセキュリティシステムを得ることを目的とする。
【課題を解決するための手段】
【０００６】
この発明に係るセキュリティシステムは、ドアに搭載され、識別情報を読み取る識別情報読取部、識別情報読取部により読み取られた識別情報に基づいて利用者を識別する利用者識別部、ドアに搭載され、利用者識別部による識別結果に応じて、ドアに設けられた錠の施錠・解錠を制御する錠制御手段、ドアに搭載された受電部と、ドア外に設けられ、受電部に対して非接触で電力を供給する給電部とを有し、識別情報読取部及び錠制御手段に対して電力を供給するための非接触給電装置、ドア外に設けられ、錠制御手段による錠の制御状態を監視する監視制御装置、及びドアに搭載されたドア側通信部と、ドア外に設けられ、ドア側通信部との間で無線通信を行う外部通信部とを有し、錠制御手段からの情報を監視制御部に送信する無線通信手段を備えている。
【発明の効果】
【０００７】
この発明のセキュリティシステムは、監視制御装置とドア上の機器との間の通信が無線通信手段により行われるとともに、ドア上の機器への給電が非接触給電装置により行われるので、ドアに対する複雑な配線を不要とすることができ、設置のための工事を簡素化することができる。
【発明を実施するための最良の形態】
【０００８】
以下、この発明を実施するための最良の形態について、図面を参照して説明する。
実施の形態１．
図１はこの発明の実施の形態１によるセキュリティシステムを示す構成図である。図において、出入口を開閉するドア１には、錠２が設けられている。錠２は、電気錠ではなく、機械的に操作される機械錠である。
【０００９】
ドア１には、識別情報読取部としてのカードリーダ３、錠制御手段４、ドア側通信部５、制御マイコン（マイクロコンピュータ）６、二次電池７、及び受電部８が搭載されている。
【００１０】
カードリーダ３は、利用者が携帯するＩＤカード９に記録された識別情報を読み取る。錠制御手段４は、錠２を機械的に操作して錠２の施錠・解錠を制御する。ドア側通信部５は、ドア１上の機器からの信号を外部に送信するとともに、ドア１の機器に対する外部からの信号を受信する。制御マイコン６は、カードリーダ３、錠制御手段４及びドア側通信部５を制御する。二次電池７は、ドア１上の機器、即ちカードリーダ３、錠制御手段４、ドア側通信部５及び制御マイコン６に電力を供給する。また、二次電池７は、受電部８により充電される。
【００１１】
ドア１外、例えば出入口枠には、受電部８に対向する給電部１０が設置されている。給電部１０は、ドア１の開閉の妨げとならないように配置されている。また、給電部１０は、受電部８に対して非接触（ワイヤレス）で電力を供給する。非接触給電装置１１は、受電部８及び給電部１０を有しており、二次電池７を介してドア１上の機器に電力を供給する。
【００１２】
また、ドア１外には、ドア側通信部５との間で無線通信を行う外部通信部（無線中継装置）１２が設けられている。無線通信手段１３は、ドア側通信部５と外部通信部１２とを有している。外部通信部１２は、ドア１外に設けられた監視制御装置１４に接続されている。監視制御装置１４は、錠制御手段４による錠２の制御状態を監視する。また、監視制御装置１４には、カードリーダ３により読み取られた識別情報に基づいて利用者を識別する利用者識別部１５が設けられている。利用者識別部１５には、出入口の通行を許可する利用者に対応した識別情報や許可条件（例えば通行可能日時及び通行可能回数等）の情報等が格納されている。
【００１３】
カードリーダ３、錠制御手段４及び制御マイコン６からの情報は、無線通信手段１３を介して監視制御装置１４に送信される。また、監視制御装置１４からの指令は、無線通信手段１３を介してカードリーダ３、錠制御手段４及び制御マイコン６に送信される。
【００１４】
錠制御手段４は、利用者識別部１５による識別結果に応じて錠２の施錠・解錠を制御する。また、錠制御手段４による錠２の制御状態に関する情報は、監視制御装置１４に送られて監視される。
【００１５】
受電部８及び給電部１０は、ドア１が閉じられたときのみ給電可能となるように配置されている。制御マイコン６は、非接触給電装置１１における給電状態からドア１の開閉状態を検出する。即ち、制御マイコン６は、ドア１の開閉状態を検出する開閉検出部としての機能も有している。制御マイコン６で検出されたドア１の開閉状態に関する情報は、監視制御装置１４に送られて監視される。また、監視制御装置１４は、ドア１の利用履歴の保存・管理や施錠・解錠のスケジュール管理を行う。このような監視制御装置１４は、例えばコンピュータにより構成されている。
【００１６】
外部通信部１２及び監視制御装置１４には、建物内の電源（例えばＡＣ１００Ｖ電源）から電力が供給される。給電部１０には、建物内の電源から外部通信部１２を介して電力が供給される。
【００１７】
監視制御装置１４は、ＬＡＮ（Local Area Network）等の通信ネットワーク１６を介して管理コンピュータ１７に接続されている。管理コンピュータ１７としては、例えばビル管理室に設置されたパーソナルコンピュータ等を用いることができる。管理コンピュータ１７には、通信ネットワーク１６を介して複数の監視制御装置１４を接続することができる。また、１台の各監視制御装置１４により、複数のドア１に関する監視制御を行うことができる。
【００１８】
例えば、ビルの各階毎に監視制御装置１４を設置し、各監視制御装置１４により同階のドア１に関する監視制御を行うことができる。そして、全ての階の監視制御装置１４を１台の管理コンピュータ１７で管理することができる。
【００１９】
図２は図１のドア１の外観を示す正面図（室外から見た図）、図３は図２のドア１を示す背面図（室内から見た図）である。ドア１の正面には、カードリーダ３が取り付けられている。ドア１が設けられた部屋の壁部には、給電部１０、外部通信部１２及び監視制御装置１４が設置されている。給電部１０は、ドア１の側部に配置されている。外部通信部１２は、監視制御装置１４内に設けられている。
【００２０】
ドア１の裏面には、機器カバー１８が取り付けられている。錠制御手段４、ドア側通信部５、制御マイコン６、二次電池７及び受電部８は、機器カバー１８の内側に収容されている。
【００２１】
次に、動作について説明する。利用者によりカードリーダ３にＩＤカード９が通されると、ＩＤカード９に記録された識別情報がカードリーダ３により読み取られる。カードリーダ３で読み取られた識別情報は、制御マイコン６及び無線通信手段１３を介して利用者識別部１５に送られる。利用者識別部１５では、カードリーダ３で読み取られた識別情報に基づいて利用者の識別が行われる。
【００２２】
利用者識別部１５により、ＩＤカード９の識別情報が予め登録されたものであり、かつ許可条件を満たしていると判断されると、監視制御装置１４から無線通信手段１３及び制御マイコン６を介して解錠指令の信号が錠制御手段４に送られる。錠制御手段４に解錠指令が入力されると、錠制御手段４により錠２が解錠される。
【００２３】
このようなセキュリティシステムでは、監視制御装置１４とドア１上の機器との間の通信が無線通信手段１３により行われるとともに、ドア１上の機器への給電が非接触給電装置１１により行われるので、ドア１のヒンジへの配線を不要とすることができ、設置のための工事を簡素化することができる。従って、既設ビルの既存のドア１への追加工事も比較的安価で容易に実施することができる。また、監視制御装置１４により複数のドア１の錠２の監視制御を行う場合に、全てのドア１についてヒンジへの配線を不要とすることができるので、特に有効である。
【００２４】
また、利用者識別部１５が監視制御装置１４に設けられているので、複数のドア１の錠２について識別を行う必要がある場合、利用者識別部１５を各ドア１に設ける必要がなく、システム全体の構成を簡単にすることができる。
さらに、ドア１上の機器に対して二次電池７を介して電力を供給するので、ドア１の開閉状態によらず、電力の供給を連続して行うことができる。
【００２５】
さらにまた、非接触給電装置１１における給電状態からドア１の開閉状態を検出するようにしたので、錠２が機械錠であってもドア１の開閉状態を監視することができ、既存のドア１への追加工事をさらに容易にすることができる。即ち、電気錠を用いず、既存の機械錠のシリンダやデッドボルト等の部品を流用して後付が可能なタイプの錠２を用いても、ドア１の開閉状態を監視することができるので、電気錠への交換工事に比べて、工事費用を大幅に削減できる。
このように、ドア１の開閉状態を検出することにより、監視制御装置１４は、ドア１が閉じてから施錠を行ったり、ドア１が長時間開いたままのときに長時間開放異常を通知したりすることができる。
【００２６】
実施の形態２．
次に、図４はこの発明の実施の形態２によるセキュリティシステムが設置されたドアを示す背面図（室内から見た図）である。この例では、外部通信部１２が給電部１０の近傍、ここでは給電部１０と一体に設けられている。そして、外部通信部１２は、配線１９を介して監視制御装置１４に接続されている。配線１９には、外部通信部１２と監視制御装置１４との間の通信線と、監視制御装置１４から外部通信部１２及び給電部１０へ電力を供給するための電力線とが含まれている。他の構成は、実施の形態１と同様である。
【００２７】
このようなセキュリティシステムでは、ドア側通信部５と外部通信部１２との間の距離を小さくすることができるので、無線通信手段１３による通信の信頼性を向上させることができるとともに、無線通信手段１３の省電力化を図ることができる。
【００２８】
なお、上記の例では、監視制御装置１４内に利用者識別部１５を設けたが、利用者識別部１５は他の場所に設けてもよく、例えばカードリーダ３、制御マイコン６又は管理コンピュータ１７に設けることもできる。例えばカードリーダ３（識別情報読取部）に利用者識別部を設けた場合、無線通信手段１３による通信ができなくなった場合にも、識別情報を読み取らせることで錠を解錠することができる。
【００２９】
また、上記の例では、監視制御装置１４を通信ネットワーク１６に接続したが、１つのドア１の監視制御のみを行う場合には、他の監視制御装置や管理コンピュータとの接続は不要である。
さらに、上記の例では、外部通信部１２から給電部１０に電力を送ったが、給電部１０への給電は、外部通信部１２や監視制御装置１４とは別に独立して行ってもよい。
【００３０】
さらにまた、上記の例では、機械錠を用いたが、電気錠を用いることもできる。この場合、電気錠への給電も二次電池から行えばよい。
また、上記の例では、非接触給電装置１１における給電状態からドア１の開閉状態を検出したが、ドアの開閉状態を検出するための独立したセンサ（例えばマグネットセンサ）をドアとドア外との間に設けてもよく、例えば給電部と受電部とにセンサを内蔵することもできる。
【００３１】
さらに、上記の例では、入室時に個人識別が必要な場合を示したが、退室時にも個人識別が必要な場合にもこの発明のセキュリティシステムを適用できる。この場合、ドアの内側にも識別情報読取部を設ければよい。
さらにまた、識別情報読取部は、カードリーダに限定されるものではない。即ち、識別情報としては、例えば指紋データ等のバイオメトリクス情報、又は利用者が記憶した暗証番号情報等を用いることもできる。
【図面の簡単な説明】
【００３２】
【図１】この発明の実施の形態１によるセキュリティシステムを示す構成図である。
【図２】図１のドア１の外観を示す正面図である。
【図３】図２のドア１を示す背面図である。
【図４】この発明の実施の形態２によるセキュリティシステムが設置されたドアを示す背面図である。
【符号の説明】
【００３３】
１  ドア、２  錠、３  カードリーダ（識別情報読取部）、４  錠制御手段、５  ドア側通信部、６  制御マイコン（開閉検出部）、７  二次電池、８  受電部、１０  給電部、１１  非接触給電装置、１２  外部通信部、１３  無線通信手段、１４  監視制御装置、１５  利用者識別部。
【図１】
2006138162.tif 000003
【図２】
2006138162.tif 000004
【図３】
2006138162.tif 000005
【図４】
2006138162.tif 000006